(57)【要約】      （修正有）【課題】ラインスピードを下げることなく作業をすることができるコンパクトな検品機能付きスリッターを提供する。【解決手段】原反ロール２を軸着する送出部１と、帯状シート３を巻収する巻取部７と、帯状シートの不良部位を検知する検品装置９と、帯状シートを裁断するスリット装置１０と、帯状シートを案内する複数の案内ローラー４ａ〜ｉと、スリッターの停止時に巻取ロール８に巻収された帯状シートの一部を巻取ロールから引出す移動ローラー５Ａ、５Ｂとを具備し、検品装置が不良部位を検出した時点とスリッターが停止した時点との間に、不良部位がスリット装置を通過し巻取ロールに巻収されたとき、移動ローラーが移動し帯状シートを進路外に押動することにより、巻収された不良部位を巻取ロールから引出す。移動ローラーはアーム６Ａ、６Ｂを介してスリッターの一部に枢設されている。【選択図】図１
0003196316.tif 000002
【実用新案登録請求の範囲】
【請求項１】
帯状シートを所望の幅に裁断するスリッターであって、
前記帯状シートの原反ロールを軸着する送出部と、
前記帯状シートを巻取ロールとして巻収する巻取部と、
前記帯状シートの不良部位を検知する検品装置と、
前記帯状シートを裁断するスリット装置と、
前記帯状シートを前記原反ロールから巻取部へと案内する複数の案内ローラーと、
前記スリッターの停止時に前記巻取ロールに巻収された前記帯状シートの一部を前記巻取ロールから引出す移動ローラーと、
を具備し、
前記検品装置が前記帯状シートの不良部位を検出した時点と前記スリッターが停止した時点との間に、前記帯状シートの不良部位が前記スリット装置を通過し前記巻取ロールに巻収されたとき、前記移動ローラーが移動し前記帯状シートを進路外に押動することにより、巻収された前記帯状シートの不良部位が前記巻取ロールから引出されることを特徴とするスリッター。
【請求項２】
前記移動ローラーは、アームを介して前記スリッターの一部に枢設され、前記巻取ロールに巻収された前記帯状シートの不良部位の長さ分を、前記巻取ロールから引出すのに相応する距離を正確に移動することが可能であることを特徴とする請求項１記載のスリッター。
【考案の詳細な説明】
【技術分野】
【０００１】
本考案は、プラスチックフィルム、ラベル等の帯状シートを一定幅に裁断して巻き取る検品機能付スリッターに関する。
【背景技術】
【０００２】
プラスチックフィルム、ラベル等包装用の帯状シートは、スリッターと呼ばれる裁断機械によりスリットされる。具体的には、送出部にセットされた原反ロールと巻取部との間にスリット装置を設置し、原反ロールから送出される帯状シートを前記スリット装置によって裁断し、巻取部に巻収する。
【０００３】
スリッターの送出部と巻取部との間には、複数の案内ローラーが設置され、従来、シートの不良個所はシートが前記複数の案内ローラーを通過する間に、作業者の目視によって発見され、ラインを停止させて処置していたが、近年は、作業の高速化と生産性の向上の観点から、前述の検品作業をカメラ等によって行い、検品装置がシートの不良部位を発見したときには、自動的にラインを停止させることができる検品機能付きのスリッターが使用されている。
【先行技術文献】
【特許文献】
【０００４】
【特許文献１】特開２００４−１９６５０７号公報
【考案の概要】
【考案が解決しようとする課題】
【０００５】
前述したように、近年は作業効率の観点から検品機能付きのスリッターが一般的となっているが、高速作業の途中でシートを急停止させるとシートに傷や歪みが生じ不良品化する恐れがある。そのため、不良部位の検知からラインの停止までの間に不良部位がスリット装置に入り裁断され、さらにロールに巻き取られてしまうこともある。この場合、スリット後の巻取ロールの巻戻しができないところ、必然的にスリッターの送出部と巻取部の間を広くとらざるを得ず、機械が大型化してしまうという問題があった。
【０００６】
特許文献１には、送出部とスリット装置との間に多数の案内ローラーを設置し、検品装置がシートの欠点を発見した直後に、前記案内ローラー、原反ロール及び巻取ロールを同時に減速・停止・逆転させることができるスリッターの提案がなされている。
【０００７】
しかしながら、減速機能を有する多数の案内ローラーの設置と、これら一連のローラーの動きを制御する機構を具備するスリッターの設置には大きなコストを要し、現実的ではない。
【０００８】
上述の問題に鑑み、本考案は、巻き取ってしまった不良部位を自動で巻き戻すことができる機構を有し、ラインスピードを下げることなく作業をすることができる、コンパクトな検品機能付スリッターを低コストで提供することを課題とする。
【課題を解決するための手段】
【０００９】
上記課題を解決するために、請求項１の考案は、帯状シートを所望の幅に裁断するスリッターであって、帯状シートの原反ロールを軸着する送出部と、帯状シートを巻取ロールとして巻収する巻取部と、帯状シートの不良部位を検知する検品装置と、帯状シートを裁断するスリット装置と、帯状シートを原反ロールから巻取部へと案内する複数の案内ローラーと、スリッターの停止時に前記巻取ロールに巻収された帯状シートの一部を巻取ロールから引出す移動ローラーとを具備し、検品装置が帯状シートの不良部位を検出した時点とスリッターが停止した時点との間に、帯状シートの不良部位がスリット装置を通過し巻取ロールに巻収されたとき、移動ローラーが移動し帯状シートを進路外に押動することにより、巻収された帯状シートの不良部位が前記巻取ロールから引出されることを特徴とする。
【００１０】
また、請求項２の考案は、前記移動ローラーは、アームを介してスリッターの一部に枢設され、巻取ロールに巻収された帯状シートの不良部位の長さ分を、巻取ロールから引出すのに相応する距離を正確に移動することが可能であることを特徴とする。
【考案の効果】
【００１１】
本考案により、送出部から巻取部までの距離を小さくすることができ、また、設置する案内ローラーの数も少なくすることができるため、場所を取らないコンパクトなスリッターを低費用で提供することができる。
【００１２】
不良部位が巻き取られても、移動ローラーにより正確な長さを自動で巻き戻すことができるため、作業効率を落とすことなく、ラインスピードを上げることができる。
【図面の簡単な説明】
【００１３】
【図１】本考案の一実施例を示すスリッターの正面図である。
【図２】本考案の一実施例を示すスリッターの右側面図である。帯状シート及び案内ローラーの一部は省略されている。
【考案を実施するための形態】
【００１４】
以下、本考案のスリッターの実施形態について図を用いて説明する。まず構成について説明する。
【００１５】
図１に示すように、本考案に係るスリッターは、原反ロール２を軸着する送出部１と帯状シート３を巻き取る巻取部７を有し、送出部１と巻取部７の間には帯状シート３の不良部位を発見するための検品装置９、切刃を有するスリット装置１０、及び帯状シート３を案内する複数の案内ローラー４ａ〜４ｉを具備する。帯状シート３は巻取部７の駆動機構により送出部１より引き出され、送出部１のローラーと案内ローラーは駆動機構を有さない。この構成は通常の検品装置付スリッターと変わりないが、本考案のスリッターの特徴は、複数の案内ローラーのうち１のローラーが移動可能に設置されていることにある。
【００１６】
本実施形態においては、図１及び２に示すように、移動ローラー５は一対のアーム６の一端に回転自在に狭設されており、アーム６の他端は案内ローラーｄと同軸で軸設されている。巻戻しの際は、このアーム６が軸振することにより先端に設置された移動ローラー５が円弧軌道で動く構成になっている。５Ａが通常稼働時の移動ローラー、５Ｂが最大移動時の移動ローラー(点線で図示)を示す。アームと移動ローラーの可動範囲は矢印で示す範囲となる。
【００１７】
次に、帯状シート３の不良部位が前記スリット装置１０を通過し巻取ロール８に巻き取られた、移動ローラー５によって、巻き取られた帯状シート３の不良部位を巻取ロール８から引出す手順について説明する。
【００１８】
通常稼働において、送出部１にセットされた原反ロール２から送出される帯状シート３は、スリット装置１０内で切刃によって裁断され、駆動機構を有する巻取部７に巻取ロール８として巻収される。帯状シート３はスリット装置１０に入る前にカメラを備えた検品装置９によってチェックを受け、不良個所が発見された場合は自動的にラインが減速・停止し、スリット装置１０の前後において該不良部位の修復が行われるが、ラインスピードが速いときには、不良部位の発見からラインの停止までの間に、裁断された不良部位が巻取ロール８に巻収されてしまうことがある。
【００１９】
上述の場合、従来のスリッターにおいては、人力により巻収された不良部位を引き出し手当を行っていたため作業に遅延が生じていたが、本考案に係るスリッターでは、停止後、アーム６をモーターで動かして移動ローラー５を下方に移動させることにより、帯状シート３を進路外に押動する。この動作により巻収された帯状シート３の不良部位が巻取ロール８から引き出される。
【００２０】
移動ローラー５はサーボモーター又はステッピングモーターによって作動するため、巻戻しに必要な距離を正確に移動させることができ、これにより不良部位を一定位置に巻き戻すことが可能となる。
【００２１】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に移動ローラーの数及び移動方法については様々の実施形態が可能であり、それらについての本実施形態と異なる形態又は方法による実施は、本考案の技術的範囲に含まれるものと解する。
【符号の説明】
【００２２】
１      送出部
２      原反ロール
３      帯状シート
４ａ〜ｉ案内ローラー
５Ａ    移動ローラー(通常時)
５Ｂ    移動ローラー(移動時)
６Ａ    アーム(通常時)
６Ｂ    アーム(移動時)
７      巻取部
８      巻取ロール
９      検品装置
１０    スリット装置
１１    電子制御盤
【図１】
0003196316.tif 000003
【図２】
0003196316.tif 000004
【手続補正書】
【提出日】平成26年12月17日(2014.12.17)
【手続補正１】
【補正対象書類名】実用新案登録請求の範囲
【補正対象項目名】請求項２
【補正方法】変更
【補正の内容】
【請求項２】
前記移動ローラーは、アームを介して前記スリッターの一部に枢設され、前記巻取ロールに巻収された前記帯状シートの不良部位の長さ分を前記巻取ロールから引出すのに相応する距離を、サーボモーター又はステッピングモーターを用いて正確に移動することが可能であることを特徴とする請求項１記載のスリッター。